(57)【要約】【課題】見る方向によって相違する意匠を視認することができる印刷体を提供する。【解決手段】部分積層印刷体１００は、被印刷体８の表面に印刷された、第１意匠１０を形成するための第１層１と、第１層１の表面に、所定の間隔２ｂを空けて印刷された複数の第２印刷要素２と、第２印刷要素２の表面に印刷された、該表面を覆い隠すための遮蔽要素９と、を有し、複数の第２印刷要素２によって第２意匠２０が構成されている。したがって、正面から見た場合、第１層１によって構成される第１意匠１０を視認することができ、斜めに見た場合、第２印刷要素２の側面によって構成される第２意匠を視認することができる。【選択図】図３
2010247460.tif 000002
【特許請求の範囲】
【請求項１】
被印刷体の表面に印刷された、所定の第１意匠を構成する第１層と、
前記第１層の表面に印刷された、所定の間隔を空けて配置された複数の第２印刷要素と、
前記第２印刷要素の表面に印刷された、該表面を覆い隠すための遮蔽要素と、を有し、
前記複数の第２印刷要素によって第２意匠が構成され、
前記遮蔽要素の表面の法線の方向から見た際、前記第１意匠が視認され、
前記遮蔽要素の表面の法線方向に対して傾いた方向から見た際、前記第１意匠と前記第２意匠とが合体した意匠、あるいは前記第２意匠が視認されることを特徴とする部分積層印刷体。
【請求項２】
被印刷体の表面に印刷された、所定の第１意匠を形成する第１層と、
前記第１層の表面に印刷された、所定の間隔を空けて配置された複数の第２印刷要素と、
該第２印刷要素に隣接して前記第１層の表面に印刷された第３印刷要素と、
前記第２印刷要素および前記第３印刷要素の表面に印刷された、該表面を覆い隠すための遮蔽要素と、を有し、
前記複数の第２印刷要素によって第２意匠が構成され、
前記複数の第３印刷要素によって第３意匠が構成され、
前記遮蔽要素の法線の方向から見た際、前記第１意匠が視認され、
前記遮蔽要素の法線方向に対して一方に傾いた方向から見た際、前記第１意匠および前記第２意匠が合体した意匠、あるいは前記第２意匠が視認され、
前記遮蔽要素の法線方向に対して他方に傾いた方向から見た際、前記第１意匠および前記第３意匠が合体した意匠、あるいは前記第３意匠が視認されることを特徴とする部分積層印刷体。
【請求項３】
前記第１意匠と前記第３意匠とが同一であることを特徴とする請求項２記載の部分積層印刷体。
【請求項４】
前記被印刷体の表面に印刷された、所定の間隔を空けて配置された複数の第４印刷要素と、
該第４印刷要素に隣接して前記被印刷体の表面に印刷された第５印刷要素と、
前記第４印刷要素の表面および前記第５印刷要素の表面に印刷された、該表面を覆い隠すための遮蔽要素と、を有し、
前記複数の第４印刷要素によって第４意匠が構成され、
前記複数の第５印刷要素によって第５意匠が構成され、
前記遮蔽要素の法線方向に対して一方に傾いた方向から見た際、前記第４意匠が視認され、
前記遮蔽要素の法線方向に対して他方に傾いた方向から見た際、前記第５意匠が視認されることを特徴とする部分積層印刷体。
【発明の詳細な説明】
【技術分野】
【０００１】
本発明は部分積層印刷体、特に、複数の方向から視認される印刷体に関する。
【背景技術】
【０００２】
従来、印刷体への極めて多彩な要請に応えるため、発明者は、たとえば、画像を形成する画像要素の一部または全部を印刷した印刷面と、透明または半透明の薄膜とを積層した積層印刷体を開示している（例えば、特許文献１参照）。
【先行技術文献】
【特許文献】
【０００３】
【特許文献１】特開２００５−３４２９８８号公報（第３−４頁、図１）
【発明の概要】
【発明が解決しようとする課題】
【０００４】
特許文献１に開示された発明は、立体感に富む極めて深みのある印刷体を提供することができるという顕著な効果を奏している。しかしながら、見る方向によって色彩や図柄（本発明において「意匠」と称している）が変化するような印刷体が欲しいとする新たな要請には応えることができなかった。
【０００５】
本発明は上記新たな要請に応えるものであって、見る方向によって相違する意匠を視認することができる印刷体を提供することを目的とする。
【課題を解決するための手段】
【０００６】
（１）本発明に係る部分積層印刷体は、被印刷体の表面に印刷された、所定の第１意匠を構成する第１層と、
前記第１層の表面に印刷された、所定の間隔を空けて配置された複数の第２印刷要素と、
前記第２印刷要素の表面に印刷された、該表面を覆い隠すための遮蔽要素と、を有し、
前記複数の第２印刷要素によって第２意匠が構成され、
前記遮蔽要素の表面の法線の方向から見た際、前記第１意匠が視認され、
前記遮蔽要素の表面の法線方向に対して傾いた方向から見た際、前記第１意匠と前記第２意匠とが合体した意匠、あるいは前記第２意匠が視認されることを特徴とする。
【０００７】
（２）また、被印刷体の表面に印刷された、所定の第１意匠を形成する第１層と、
前記第１層の表面に印刷された、所定の間隔を空けて配置された複数の第２印刷要素と、
該第２印刷要素に隣接して前記第１層の表面に印刷された第３印刷要素と、
前記第２印刷要素および前記第３印刷要素の表面に印刷された、該表面を覆い隠すための遮蔽要素と、を有し、
前記複数の第２印刷要素によって第２意匠が構成され、
前記複数の第３印刷要素によって第３意匠が構成され、
前記遮蔽要素の法線の方向から見た際、前記第１意匠が視認され、
前記遮蔽要素の法線方向に対して一方に傾いた方向から見た際、前記第１意匠および前記第２意匠が合体した意匠、あるいは前記第２意匠が視認され、
前記遮蔽要素の法線方向に対して他方に傾いた方向から見た際、前記第１意匠および前記第３意匠が合体した意匠、あるいは前記第３意匠が視認されることを特徴とする。
【０００８】
（３）また、前記（２）において、前記第１意匠と前記第３意匠とが同一であることを特徴とする。
【０００９】
（４）さらに、前記被印刷体の表面に印刷された、所定の間隔を空けて配置された複数の第４印刷要素と、
該第４印刷要素に隣接して前記被印刷体の表面に印刷された第５印刷要素と、
前記第４印刷要素の表面および前記第５印刷要素の表面に印刷された、該表面を覆い隠すための遮蔽要素と、を有し、
前記複数の第４印刷要素によって第４意匠が構成され、
前記複数の第５印刷要素によって第５意匠が構成され、
前記遮蔽要素の法線方向に対して一方に傾いた方向から見た際、前記第４意匠が視認され、
前記遮蔽要素の法線方向に対して他方に傾いた方向から見た際、前記第５意匠が視認されることを特徴とする。
【発明の効果】
【００１０】
（ｉ）本発明に係る部分積層印刷（請求項１）は、それぞれの意匠が、互いに離れた複数の印刷要素によって構成され（点描画に同じ）、見る方向によって、２種類ないし３種類の意匠を視認することができる。すなわち、正面からは第１意匠（たとえば、赤色）のみが視認され、斜め方向からは第１意匠（たとえば、赤色）および第２意匠（たとえば、青色）が合体した意匠（たとえば、紫色）、あるいは第２意匠（たとえば、青色）が視認される。
【００１１】
（ｉｉ）また、本発明に係る部分積層印刷（請求項２）は、見る方向によって、３種類ないし５種類の異なる意匠を視認することができる。
すなわち、正面からは第１意匠（たとえば、背景）のみが視認される。また、一方の斜め方向からは第１意匠（たとえば、背景）および第２意匠（たとえば、模様）が合体した意匠（たとえば、背景付き模様）、あるいは第２意匠（たとえば、模様）のみが視認される。さらに、他方の斜め方向からは第１意匠（たとえば、背景）および第３意匠（たとえば、文字）が合体した意匠（たとえば、背景付き文字）、あるいは第３意匠（たとえば、文字）のみが視認される。
【００１２】
（ｉｉｉ）また、本発明に係る部分積層印刷（請求項３）は、見る方向によって、２種類の意匠が視認される。
すなわち、一方の斜め方向からは第１意匠（たとえば、背景）および第２意匠（たとえば、模様）が合体した意匠（たとえば、背景付き模様）、あるいは第２意匠（たとえば、模様）のみが視認される。また、正面から、あるいは他方の斜め方向からは、第１意匠（第３意匠に同じ、たとえば、背景）のみが視認される。
【００１３】
（ｉｖ）さらに、本発明に係る部分積層印刷（請求項４）は、斜め方向から見た場合には、２種類の異なる意匠が視認されるものの、正面から見た場合には意匠を視認することができない。
【図面の簡単な説明】
【００１４】
【図１】本発明の実施の形態１に係る部分積層印刷を説明する、部分を拡大して模式的に示す側面視の断面図および平面視の断面図。
【図２】図１に示す部分積層印刷において視認される意匠を模式的に示す平面図。
【図３】本発明の実施の形態２に係る部分積層印刷を説明する、部分を拡大して模式的に示す側面視の断面図および平面視の断面図。
【図４】図３に示す部分積層印刷において視認される意匠を模式的に示す平面図。
【図５】本発明の実施の形態３に係る部分積層印刷を説明する、部分を拡大して模式的に示す平面視の断面図。
【図６】図５に示す部分積層印刷において視認される意匠を模式的に示す平面図。
【発明を実施するための形態】
【００１５】
［実施の形態１］
図１および図２は本発明の実施の形態１に係る部分積層印刷を説明するものであって、図１の（ａ）は部分を拡大して模式的に示す側面視の断面図、図１の（ｂ）は部分を拡大して模式的に示す平面視の断面図、図２は視認される意匠を模式的に示す平面図である。
【００１６】
図１の（ａ）および（ｂ）において、部分積層印刷体１００は、被印刷体８表面に印刷された、第１意匠１０を形成するための第１層１（赤色の円形）と、第１層１の表面に、所定の間隔２ｂを空けて印刷された複数の第２印刷要素２（青色の円形）と、第２印刷要素２の表面に印刷された、該表面を覆い隠すための遮蔽要素９と、を有している。
なお、遮蔽要素９は第２印刷要素２の表面を視認不能にするためのものであるから、光の不透過膜あるいは光の反射膜（ミラー）に同じである。
そして、互いに離れた複数の第２印刷要素２によって第２意匠２０（青色の円形）が構成されている。また、第１意匠１０は、互いに離れた複数の遮蔽要素９（第２印刷要素２の表面を覆い隠している）によって、断続的に覆い隠されているから、微視的には格子（縦横の線）によって形成されている。
【００１７】
なお、間隔２ｂは、第２印刷要素２の厚さ２ａに対応するものであって（たとえば、１００μｍ程度）、第２印刷要素２の大きさ（平面視における辺の長さ）に略同一でも相違してもよい。また、正方形状の第２印刷要素２が方眼配置されたものを図示しているが、本発明はこれに限定するものではなく、第２印刷要素２を線状にして、これを平行配置したり、第２印刷要素２を矩形状にして千鳥状に配置してもよい。さらに、三角形状、六角形状あるいは円形状にしてもよい。
また、被印刷体８の形状、大きさ、材質等は限定されるものではなく、第１層１は被印刷体８の表面（外面、内面あるいは端面等）の全域あるいは一部に印刷されるものである。
【００１８】
図２の（ｃ）において、部分積層印刷体１００を遮蔽要素９の法線の方向（正面方向に同じ、矢印Ｃにて示す）から見た際、遮蔽要素９によって光が反射されるため、第２印刷要素２の表面を視認することができないから、第１意匠１０（赤色の円形）が視認される。
【００１９】
図２の（ｂ）において、部分積層印刷体１００を遮蔽要素９の法線方向に対して少し傾いた方向（斜め方向に同じ、矢印Ｂ、Ｄにて示す）から見た際、遮蔽要素９によって第２印刷要素２の表面を視認することはできないものの、遮蔽要素９同士の間隔（間隔２ｂに相当する）から、第２印刷要素２の側面（端面に同じ）を視認することができる。このとき、第１層１も同時に視認されるから、第１意匠１０および第２意匠２０が合体した合体意匠１５（紫の楕円）が視認されることになる。
したがって、第１印刷要素１の高さ１ａに対して間隔２ｂが大きくなると、合体意匠１５に与える第１意匠１０の影響が大きくなると共に、合体意匠１５を視認することができる範囲（斜め方向の範囲、Ａ視とＣ視との角度に同じ）が拡大する。
【００２０】
図２の（ａ）において、部分積層印刷体１００を遮蔽要素９の法線方向に対してさらに傾いた方向（斜め方向に同じ、矢印Ａ、Ｅにて示す）から見た際、遮蔽要素９同士の間隔（間隔２ｂに相当する）から、第２印刷要素２の側面のみを視認することができるから、第２意匠２０（青の楕円）が視認されることになる。
【００２１】
なお、遮蔽要素９と間隔２ｂとの相対的な大小関係は限定されるものではなく、図１の（ａ）および（ｂ）においては両者を略同じに描いている。
さらに、第１層１の印刷を省略して、第２印刷要素２を被印刷体８に直接印刷してもよい。このとき、平面視の場合、被印刷体８が直接視認されることになる。  
【００２２】
［実施の形態２］
図３〜図６は本発明の実施の形態２に係る部分積層印刷を説明するものであって、図３の（ａ）は部分を拡大して模式的に示す側面視の断面図、図３の（ｂ）は部分を拡大して模式的に示す平面視の断面図、図４は視認される意匠を模式的に示す平面図、図５はバリエーションを拡大して模式的に示す側面視の断面図、図６は図５における視認される意匠を模式的に示す平面図である。なお、実施の形態１と同じ部分または相当する部分には同じ符号を付し、一部の説明を省略する。
【００２３】
図３の（ａ）および（ｂ）において、部分積層印刷体２００は、第１層１の表面に複数の第２印刷要素２と、これに隣接した第３印刷要素３が印刷されている。
このとき、複数の第２印刷要素２によって第２意匠２０（青い円形）が構成され、複数の第３印刷要素３によって第３意匠３０（黄色の円形）が構成される。
そして、第２印刷要素２と第３印刷要素３とは、何れも三角形であって、それぞれの底辺が当接して矩形を呈している。また、かかる矩形が間隔２ｂを空けて千鳥状に配置されているが、実施の形態１に準じて方眼状に配置してもよい。
なお、遮蔽要素９と間隔２ｂとの相対的な大小関係は限定されるものではなく、図３の（ａ）においては両者を略同じに描き、図３の（ｂ）においては、遮蔽要素９の方を間隔２ｂより大きく描いている。
【００２４】
図４の（ａ）において、部分積層印刷体２００を遮蔽要素９の法線方向に対して充分傾いた方向（斜め方向に同じ、矢印Ａにて示す）から見た際、遮蔽要素９同士の間隔（間隔２ｂに相当する）から、第３印刷要素３の側面（端面に同じ）のみを視認することができるから、第３意匠３０（黄色の楕円）が視認されることになる。
図４の（ｂ）において、部分積層印刷体２００を遮蔽要素９の法線方向に対して僅かに傾いた方向（斜め方向に同じ、矢印Ｂにて示す）から見た際、遮蔽要素９同士の間隔（間隔２ｂに相当する）から、第１層１と第３印刷要素３の側面を視認することができるから、第１意匠１０（赤い円形）と第３意匠３０（黄色の円形）とが合体した合体意匠２５（橙の楕円）が視認されることになる。
【００２５】
図４の（ｃ）〜（ｅ）については、それぞれ図３の（ｃ）〜（ａ）に同じであるから、説明を省略する。
なお、以上は発明の理解を容易にするため、色彩が相違する意匠について説明しているが、本発明は意匠を色彩に限定するものではなく、図柄（文字、記号、模様等）であっても、前記のような作用効果が得られる
さらに、第１層１の印刷を省略して、第２印刷要素２および第３印刷要素３を被印刷体８に直接印刷してもよい。このとき、平面視の場合、被印刷体８が直接視認されることになる。  
【００２６】
［実施の形態３］
図５および図６は本発明の実施の形態３に係る部分積層印刷を説明するものであって、図５は部分を拡大して模式的に示す平面視の断面図、図６は視認される意匠を模式的に示す平面図である。なお、実施の形態２と同じ部分または相当する部分には同じ符号を付し、一部の説明を省略する。
図５において、部分積層印刷体３００は、部分積層印刷体２００（図４参照）、における第３印刷要素３の一部を、第１層１が形成する第１意匠１０を構成する印刷要素（説明の便宜上、印刷要素１としている）と同じにしたものである。
たとえば、上両角を印刷要素１が印刷された矩形状とし、上中央をＡ視（斜め上左）側を印刷要素３、Ｅ視（斜め下右）側を第２印刷要素２が印刷された矩形状としている。また、左中央をＡ視（斜め上左）側を印刷要素１、Ｅ視（斜め下右）側を第２印刷要素２が印刷され
左下角をＡ視（斜め上左）側を印刷要素３、Ｅ視（斜め下右）側を印刷要素１が印刷された矩形状としている。
【００２７】
図６の（ａ）において、部分積層印刷体３００をＣ方向から見た場合（平面視に同じ、以下「Ｃ視」と称する）、第２印刷要素２および印刷要素３を視認することができないから、第１層１によって微視的には格子状に描かれた第１意匠１０（矩形を例示している）が視認される。
図６の（ｂ）において、部分積層印刷体３００をＡ方向から見た場合（上左から下右方向、以下「Ａ視」と称する）、印刷要素３の側面と、上左側に位置する印刷要素１の側面とが視認される。したがって、印刷要素３の側面によって構成された第３意匠３０（二等辺三角形を例示している）と、第３意匠３０の斜辺に接する第１意匠１０の一部である一対の直角三角形が視認される。
図６の（ｃ）において、部分積層印刷体３００をＥ方向から見た場合（下左から上左方向、以下「Ｅ視」と称する）、第２印刷要素２の側面と、下右左側に位置する印刷要素１の側面とが視認される。したがって、第２印刷要素２の側面によって構成された第２意匠２０（円形を例示している）と、第２意匠２０に接する第１意匠１０の一部である４つの略直角二等辺三角形（底面が円弧を呈する）が視認される。
【００２８】
以上のように、部分積層印刷体３００において、複数の相違する図形を視認することができる。なお、当然に、図形に色彩を組み合わせることができる。また、それぞれ相違する意匠を構成する４種類の印刷要素を矩形状に接続させれば、４方向からそれぞれ相違する意匠を視認することができる。同様に、それぞれ相違する意匠を構成する３種類の印刷要素を三角形状または六角形状に接続させれば、３方向からそれぞれ相違する意匠を視認することができる。
【００２９】
［その他の実施の形態］
本発明の実施の形態３に係る部分積層印刷（図示しない）は、部分積層印刷体１００、２００（実施の形態１、２）における第１層１の印刷を省略して、第２印刷要素２等を被印刷体８に直接印刷したものである。
【産業上の利用可能性】
【００３０】
本発明によれば、見る方向によって相違する意匠を視認することができる、各種形態（形状、大きさ、色彩、材質）の各種物品として広く利用することができる。
【符号の説明】
【００３１】
１ 第１層（第１印刷要素）
２ 第２印刷要素
２ａ 厚さ
２ｂ 間隔
３ 第３印刷要素
８ 被印刷体
９ 遮蔽要素
１０ 第１意匠
１５ 合体意匠
２０ 第２意匠
２５ 合体意匠
３０ 第３意匠
１００ 部分積層印刷体（実施の形態１）
２００ 部分積層印刷体（実施の形態２）
３００ 部分積層印刷体（実施の形態２のバリエーション）
【図１】
2010247460.tif 000003
【図２】
2010247460.tif 000004
【図３】
2010247460.tif 000005
【図４】
2010247460.tif 000006
【図５】
2010247460.tif 000007
【図６】
2010247460.tif 000008